(57)【特許請求の範囲】
【請求項１】
所定の設定時間だけ周囲に人が存在するか否かを連続的に判断する人検出処理を実行する人検出手段と、
前記人検出手段が人が存在すると判断する度に、前記人検出手段に前記設定時間のはじめから前記人検出処理を再度実行させる人検出制御手段と、
前記人検出手段が前記設定時間において人が存在すると一度でも判断した場合に電力の供給を継続する一方、前記人検出手段が前記設定時間において人が存在すると判断しなかった場合に、電力の供給を停止するように電源を制御する電源制御手段と、
周囲の明るさを検出する明るさ検出手段と、
一定時間において前記明るさ検出手段が検出した明るさの減少量が所定の閾値より大きい場合に、前記設定時間を第１の時間に設定し、前記一定時間において前記明るさ検出手段が検出した明るさの減少量が前記所定の閾値より小さい場合に、前記設定時間を、前記明るさ検出手段が検出した明るさに従って、前記第１の時間以上の第２の時間に設定する検出時間設定手段と、
を備えることを特徴とする電源制御装置。
【請求項２】
前記検出時間設定手段は、
前記第１の時間において、前記人検出手段が人が存在すると判断した割合が所定の基準値より大きい場合に、前記設定時間を前記第１の時間よりも長い第３の時間に設定し直す、
ことを特徴とする請求項１の電源制御装置。
【請求項３】
一定時間において前記明るさ検出手段が検出した明るさの減少量が前記所定の閾値より大きい場合に、前記人検出手段の検出感度を第１の感度に設定し、前記一定時間において前記明るさ検出手段が検出した明るさの減少量が前記所定の閾値より小さい場合に前記第１の感度以上の第２の感度に、前記人検出手段の検出感度を設定する手段を備える、
ことを特徴とする請求項１又は２に記載の電源装置。
【請求項４】
前記電源制御手段は、前記明るさ検出手段が検出した明るさが閾値より小さい場合には、前記人検出手段の検出結果にかかわらず電源からの電力の供給を遮断する、
ことを特徴とする請求項１乃至３のいずれか１項に記載の電源制御装置。
【請求項５】
前記明るさ検出手段が検出した明るさが大きくなるに従って、前記人検出手段の感度が高くなるように検出感度を設定する感度設定手段を備える、
ことを特徴とする請求項１乃至４のいずれか１項に記載の電源制御装置。
【請求項６】
電源と、
前記電源からの電力の供給を受けて動作する電子機器と、
前記電源を制御する、請求項１乃至５のいずれか１項に記載の電源制御装置と、
を備えることを特徴とする電子装置。
【請求項７】
コンピュータに、
所定の設定時間だけ、人が存在するか否かを連続的に判断する人検出処理を実行させる処理、
人が存在すると判断する度に、前記設定時間のはじめから前記人検出処理を再度実行させる処理、
前記設定時間において人が存在すると判断した場合に電力の供給を継続したままにしておく一方、前記設定時間において人が存在すると判断しなかった場合に電力の供給を停止するように電源を制御する処理、
一定時間において周囲の明るさの減少量が所定の閾値より大きい場合に前記設定時間を第１の時間に設定し、前記一定時間において前記明るさ検出手段が検出した明るさの減少量が前記所定の閾値より小さい場合に前記設定時間を前記設定時間を、周囲の明るさに従って、前記第１の時間以上の第２の時間に設定する処理、
を実行させるコンピュータプログラム。
【発明の詳細な説明】
【技術分野】
【０００１】
本発明は、電源制御装置及び電源制御装置を備える電子装置に関する。
【背景技術】
【０００２】
デジタルフォトフレーム（Digital Photo Frame）と呼ばれる電子機器（表示装置）が広く普及している。デジタルフォトフレームは、例えば、装着されたメモリカード等から画像データを読み出して、あたかも通常の写真立てように、画像（画像データが表す画像）を表示できるようになっている。
【０００３】
デジタルフォトフレームは、ユーザが視線を向けた時には画像を表示している必要がある。一方で、ユーザが不在の時には省エネの観点より電源をオフすることが望まれている。
【０００４】
表示装置の電源を制御する方法としては、周囲の明るさに応じて、自動的に電源をオン・オフする方法が知られているが、この種の単純な制御方法では、周囲に人がいない場合でも、明るいときには電源がオンされてしまい、周囲に人がいても、暗いときには電源がオフされてしまい、デジタルフォトフレームの電源制御としては好ましくない。
【０００５】
特許文献１には、太陽光による昼夜のゆっくりとした明るさのレベル変化では反応せず、照明がオン・オフされるというような人の行動を考慮して、明るさの変化が基準値を越えることを検出した場合に、電源をオン又はオフさせる技術が開示されている。特許文献１の技術によれば、単純な明るさの変化だけでなく、人為的な行動を考慮した電源の制御を行うことができる。
【先行技術文献】
【特許文献】
【０００６】
【特許文献１】特開２００８−１０９２７４号公報
【発明の概要】
【発明が解決しようとする課題】
【０００７】
しかし、特許文献１に開示されている電源制御方法では、人為的な行動を考慮した電源の制御を行うには未だ不十分である。
【０００８】
本発明の目的は、人の行動をより詳細に考慮した電源の制御を行うことにある。
【課題を解決するための手段】
【０００９】
本発明の第一の観点に係る電源制御装置は、
所定の設定時間だけ周囲に人が存在するか否かを連続的に判断する人検出処理を実行する人検出手段と、
前記人検出手段が人が存在すると判断する度に、前記人検出手段に前記設定時間のはじめから前記人検出処理を再度実行させる人検出制御手段と、
前記人検出手段が前記設定時間において人が存在すると一度でも判断した場合に電力の供給を継続する一方、前記人検出手段が前記設定時間において人が存在すると判断しなかった場合に、電力の供給を停止するように電源を制御する電源制御手段と、
周囲の明るさを検出する明るさ検出手段と、
一定時間において前記明るさ検出手段が検出した明るさの減少量が所定の閾値より大きい場合に、前記設定時間を第１の時間に設定し、前記一定時間において前記明るさ検出手段が検出した明るさの減少量が前記所定の閾値より小さい場合に、前記設定時間を、前記明るさ検出手段が検出した明るさに従って、前記第１の時間以上の第２の時間に設定する検出時間設定手段と、
を備えることを特徴とする。
【００１０】
本発明の第二の観点に係るコンピュータプログラムは、
コンピュータに、
所定の設定時間だけ、人が存在するか否かを連続的に判断する人検出処理を実行させる処理、
人が存在すると判断する度に、前記設定時間のはじめから前記人検出処理を再度実行させる処理、
前記設定時間において人が存在すると判断した場合に電力の供給を継続したままにしておく一方、前記設定時間において人が存在すると判断しなかった場合に電力の供給を停止するように電源を制御する処理、
一定時間において周囲の明るさの減少量が所定の閾値より大きい場合に前記設定時間を第１の時間に設定し、前記一定時間において前記明るさ検出手段が検出した明るさの減少量が前記所定の閾値より小さい場合に前記設定時間を前記設定時間を、周囲の明るさに従って、前記第１の時間以上の第２の時間に設定する処理、
を実行させる。
【発明の効果】
【００１１】
本発明によれば、周囲が急激に暗くなった場合に、即座に電源を遮断するのではなく、検出継続時間を相対的に短い第１の時間に設定し、人検出処理を実行し、第１の時間の間継続して人を検出できないときに、電源を遮断する。従って、例えば、ユーザが昼間に室内の電灯を消灯させて室内を暗くしてからも依然として室内に留まっている場合等でも、電源を遮断することなく、室内に留まり続けるユーザのために電力の供給を継続させることができ、人の行動をより詳細に考慮した電源の制御を行うことができる。
【図面の簡単な説明】
【００１２】
【図１】本発明の実施形態に係るデジタルフォトフレームの外観図である。
【図２】本発明の実施形態に係るデジタルフォトフレームの回路構成図である。
【図３】図２に示すサブＣＰＵの内部メモリに格納される動作パラメータの例を示す図である。
【図４】図２に示す構成により実現される機能構成を示すブロック図である。
【図５】本発明の一実施の形態に係る電源制御処理を示すフローチャートであり、照度による電源制御処理のフローチャートである。
【図６】本発明の一実施の形態に係る電源の電源制御処理を示すフローチャートであり、照度による電源制御処理のフローチャートである。
【図７】本発明の一実施の形態に係る電源の電源制御処理を示すフローチャートであり、人感センサによる電源制御処理のフローチャートである。
【図８】本発明の一実施の形態に係る電源の電源制御処理を示すフローチャートであり、人感センサによる電源制御処理のフローチャートである。
【図９】図２に示す回路構成の変形例を示す図である。
【発明を実施するための形態】
【００１３】
以下、本発明の実施の形態に係る電源制御装置を、デジタルフォトフレームに使用される電源制御装置を例に説明する。
本実施形態に係るデジタルフォトフレーム１００は、図１に示すように、表示装置１４を備え、デジタル画像を表示するための額縁である。
【００１４】
デジタルフォトフレーム１００は、図２に示すように、メインＣＰＵ(Central Processing Unit)１１と、ＲＯＭ(Read Only Memory)１２と、ＲＡＭ(Random Access Memory)１３と、表示装置１４と、フラッシュメモリＩ／Ｆ１５と、無線ＬＡＮ装置１６と、サブＣＰＵ２１と、メイン電源スイッチ２２と、照度センサ２３と、人感センサ２４と、電源２５と、を備える。
【００１５】
メインＣＰＵ１１は、ＲＯＭ１２に格納されている動作プログラムをＲＡＭ１３に展開し、展開したプログラムに従って、このデジタルフォトフレーム１００全体の動作、特に、表示装置１４にデジタル画像を表示する動作を実行する。
【００１６】
ＲＯＭ１２は、メインＣＰＵ１１の動作プログラム及び制御に必要な固定データを記憶する。
【００１７】
ＲＡＭ１３は、メインＣＰＵ１１のメインメモリとして機能すると共に表示対象のデジタル画像データを展開する表示メモリとして機能する。
【００１８】
表示装置１４は、液晶表示装置等から構成され、メインＣＰＵ１１の制御に従って、ＲＡＭ１３に展開されたデジタル画像データが定義する画像を表示する。
【００１９】
フラッシュメモリＩ／Ｆ１５には、デジタル画像データが格納されたフラッシュメモリ１９が接続される。メインＣＰＵ１１は、フラッシュメモリＩ／Ｆ１５を介して、フラッシュメモリ１９をアクセスし、デジタル画像データを読み出し、ＲＡＭ１３に展開し、表示装置１４に表示させる。
【００２０】
無線ＬＡＮ装置１６は、外部の無線ＬＡＮ装置と無線交信して、デジタル画像データを含むデータを送受信する。
【００２１】
サブＣＰＵ２１は、内部メモリを備えた１チップＣＰＵ等から構成され、主に電源の管理を行っている。電源２５の管理を行うために、内部メモリには、動作プログラムと共に図３に示す制御パラメータが格納されている。
【００２２】
図３に示すように、この制御パラメータは、照度センサ２３が検出した照度Ｌが第３の閾値Ｌth3より大きいとき（周囲が明るいとき）には、人感センサ２４の感度を相対的に高い第１の感度に設定し、人感センサ２４が人を検知できない状態が継続していることを計測する設定時間（人未検出状態継続時間）Ｔを相対的に最長値Ｔ３とすることを定義する。
【００２３】
また、制御パラメータは、検出した照度Ｌが、第３の閾値Ｌth3と、第３の閾値Ｌth3より小さい第２の閾値Ｌth2との間のとき（やや明るいとき）ときには、人感センサ２４の感度を中間程度の第２の感度とし、設定時間を中間値Ｔ2（Ｔ３＞Ｔ２）とすることを定義する。
【００２４】
また、制御パラメータは、検出した照度Ｌが、第２の閾値Ｌth2と、第２の閾値Ｌth2より小さい第１の閾値Ｌth1との間のとき（やや暗いとき）には、人感センサ２４の感度を低い第３の感度とし、設定時間Ｔを最小値Ｔ１（Ｔ２＞Ｔ１）とすることを定義する。
なお、検出した照度Ｌが、第１の閾値Ｌth1以下のとき（真っ暗なとき）には、人感センサ２４による人の検出は行わない。
【００２５】
また、内部メモリには、各種閾値、基準値などが設定されている。
また、サブＣＰＵ２１は、内部タイマ或いはソフトウエアタイマを備える。
【００２６】
メイン電源スイッチ２２は、オン・オフスイッチから構成され、ユーザにより操作され、ユーザによる電源オン・オフを指示する。
【００２７】
照度センサ２３は、周囲の明るさ、即ち照度を測定し、測定した照度Lを示すアナログ電圧値をサブＣＰＵ２１に供給する。サブＣＰＵ２１は、照度センサ２３の出力するアナログ電圧値をＡＤコンバータでデジタルデータに変換して取り込む。
【００２８】
人感センサ２４は、焦電型赤外線センサ等から構成され、赤外線による焦電体の温度変化をアナログ値で出力する。サブＣＰＵ２１は、このアナログ値をＡＤコンバータによりデジタルデータに変換して取り込み、閾値を超えるか否かにより、人の有無を検出する。また、サブＣＰＵ２１は、閾値を変える事で、人感センサ２４の感度を調節する。
【００２９】
電源２５は、メイン電源スイッチ２２がオンときに、サブＣＰＵ２１に電力を供給し、さらに、サブＣＰＵ２１の制御に従って、メインＣＰＵ１１、表示装置１４等への電力供給を制御する。
【００３０】
図４に示すように、図２に示す照度センサ２３により明るさ検出部１０１が機能的に形成され、サブＣＰＵ２１と人感センサ２４により、制御部１０２が機能的に形成される。さらに、制御部１０２内には、人検出部１１１、人検出制御部１１２、検出時間設定部１１３、感度設定部１１５、電源制御部１１５、が構成される。
【００３１】
明るさ検出部１０１は、図２に示す照度センサ２３から構成され、周囲環境の明るさを検出し、制御部１０２に通知する。
【００３２】
制御部１０２は、電源２５を制御する動作を行うもので、図２に示すサブＣＰＵ２１と人感センサ２４と、から構成される。
【００３３】
人検出部１１１は、人感センサ２４と、人感センサ２４の出力信号を処理するサブＣＰＵ２１とから構成され、所定の設定時間Ｔの間、周囲に人が継続して存在しないことを連続的に判別する人検出処理を実行する。
【００３４】
人検出制御部１１２は、サブＣＰＵ２１から構成され、所定の設定時間Ｔの間に人検出部１１１が人の存在を検出する度に、設定時間Ｔをリセットして、人検出部１１１に設定時間Ｔのはじめから人検出処理を再度実行させる。
【００３５】
検出時間設定部１１３は、サブＣＰＵ２１から構成され、一定時間内において明るさ検出部１０１が検出した明るさの減少量ΔＬが第１の閾値Δth2より大きい場合に、人の不在を検出する設定時間Ｔを最短時間Ｔ１に設定し、一定時間における明るさの減少量ΔＬが第１の閾値Δth2以下の場合に、設定時間Ｔを周囲環境の明るさに応じて、最短時間Ｔ１又は最短時間Ｔ１よりも長い第２の時間Ｔ２又はＴ３に設定する。また、検出時間設定部１１３は、最短時間Ｔ１内において、人検出部１１１が人が存在すると判断した回数が所定の第２の閾値より大きい場合には、設定時間Ｔを最大値Ｔ３に設定し直す。
【００３６】
感度設定部１１４は、サブＣＰＵ２１から構成され、一定時間において明るさ検出部１０１が検出した明るさの減少量ΔＬが第１の閾値Δth2より大きい場合に、人検出部１１１の検出感度を第１の感度に設定し、一定時間において明るさ検出部１０２が検出した明るさの減少量ΔLが第１の閾値Δth2以下の場合に第１の感度よりも高い第２の感度に、人検出部１１１の検出感度を設定する。また、感度設定部１１４は、明るさ検出部１０２が検出した明るさが大きくなるに従って、人検出部１１１の感度が高くなるように検出感度を設定する。
【００３７】
電源制御部１１５は、サブＣＰＵ２１から構成され、人検出部１１１が設定時間Ｔにおいて人が存在すると一度でも判断した場合にメインＣＰＵ１１等への電力の供給を継続する一方、人検出部１１１が設定時間Ｔの間、人が存在すると継続して判断しなかった場合（設定時間Ｔの間、継続して人が不在であったと判別した場合）に、メインＣＰＵ１１への電力の供給を停止するように電源２５を制御する。また、電源制御部１１５は、明るさ検出部１０１が検出した明るさが第１の閾値より小さい第２の閾値Ｌth1より小さい場合には、人検出部１１１の検出結果にかかわらず電源２５からメインＣＰＵ１１等への電力の供給を停止させる。
【００３８】
次に、上記構成を有するデジタルフォトフレーム１００の動作を説明する。
メインＣＰＵ１１は、フラッシュメモリＩ／Ｆ１５に接続されているフラッシュメモリ１９に格納されているデジタル画像データ或いは無線ＬＡＮ装置１６を介して外部装置に格納されているデジタル画像データを読み出し、読み出したデジタル画像データをＲＡＭ１３に展開し、表示画像を順次切り替えながら、表示装置１４に表示させる。
【００３９】
一方、サブＣＰＵ２１は、主に、メインＣＰＵ１１の電源のオン・オフの制御を行う。ユーザがメイン電源スイッチ２２をオンすると、サブＣＰＵ２１には電源２５から電力が供給される。サブＣＰＵ２１は、電源２５を制御して、メインＣＰＵ１１、表示装置１４を含む各部への動作電力の供給を開始させる。逆に、メイン電源スイッチ２２がオフされると、各部への電力の供給は停止する。
【００４０】
メイン電源スイッチ２２がオンしている間、主にサブＣＰＵ２１により構成される制御部１０２は、図５〜図８に示す電源制御処理を繰り返して実行する。
【００４１】
この電源制御処理は、主に照度センサ２３の検出した照度に基づいて電源制御を行う照度による電源制御処理（図５、図６）と、主に人感センサ２４の検出した人間の存在・不存在に基づいて電源制御を行う人感センサによる電源制御処理（図７、図８）とを含む。この電源制御処理により、ユーザがデジタルフォトフレーム１００に視線を向ける可能性があるときには、メインＣＰＵ１１等に電力を供給して画像を表示させ、ユーザがデジタルフォトフレームを観察する可能性が無い又は少ないときには、メインＣＰＵ１１等への電力の供給を停止して、省エネルギーに資する。
【００４２】
制御部１０２は、タイマ割り込み等により、図５に示す照度による電源制御処理を開始する。
【００４３】
照度による電源制御処理を開始すると、制御部１０２は、明るさ検出部１０１により周囲環境の明るさ、即ち、照度Ｌを取得する（ステップＳ１１）。制御部１０２は、取得した照度ＬをサブＣＰＵ２１の内部メモリに格納している照度Ｌの履歴（Ｌt-1，Ｌt-2，Ｌt-3，．．．）に追加する。
【００４４】
次に、制御部１０２は、今回の処理が、内部メモリに照度Ｌの履歴が蓄積されていない状態の初期動作であるか否かを判別する（ステップＳ１２）。
初期動作であると判別した場合（ステップS１２；Ｙｅｓ)、今回取得した照度Ｌで履歴を設定する（ステップＳ１３）。
【００４５】
一方、初期動作で無い、即ち、照度Ｌの履歴が内部メモリに蓄積されていると判別した場合（ステップS１２；Ｎｏ)、直近の一定時間内、例えば、５秒内に照度Ｌの変化があるか無いかを判別する（ステップＳ１４）。照度Ｌの変化が無いと判別した場合（ステップＳ１４；Ｎｏ）、照度からは人間の有無を判別できないため、制御は、人感センサによる電源制御処理（図７）に移行する。
【００４６】
所定期間内に照度Ｌの変化があると判別した場合（ステップＳ１４；Ｙｅｓ）、取得した照度Ｌが所定の第１の閾値Ｌth1以下（Ｌ≦Ｌth1）であるか否かを判別する（ステップS１５）。
【００４７】
照度Ｌが第１の閾値Ｌth1以下の場合（ステップＳ１５；Ｙｅｓ）、周囲環境は暗い。このような環境下で、ユーザがデジタルフォトフレーム１００を鑑賞する可能性は低く、夜間電灯を落として退出もしくは就寝した可能性が高い。このため、フローは、ステップS１６に進み、内部メモリに格納されている検知回数ＳＣを０にリセットし（ステップＳ１６）、電源２５にオフを指示する（ステップＳ１７）。指示に従って、電源２５は、メインＣＰＵ１１、表示装置１４等への電力の供給を停止する。なお、検知回数ＳＣとは、後述する特定検出モードにおいて、設定時間Ｔの間に、人を検出した回数を示す。
【００４８】
一方、ステップＳ１５で、照度Ｌが第１の閾値Ｌth1より大きいと判別された場合（ステップＳ１５；Ｎｏ）、制御部１０２は、内部メモリに格納されている照度Ｌの履歴に基づいて、直近の一定時間（例えば、１秒）内に照度Ｌが急激に大きくなったか否かを判別する（ステップＳ１８）。具体的には、所定時間前に取得した照度Ｌt-nと今回取得した照度Ｌtとの差分のΔＬ（＝Ｌt−Ｌt-n）を求め、求めた差分ΔＬが基準値ΔＬth1より大きいか否かを判別する。
【００４９】
ΔＬ＞ΔＬth1と判別された場合、即ち、暗から明への変化が大きい場合（ステップＳ１８；Ｙｅｓ）、ユーザにより電灯が点灯され、もしくはブラインドやカーテンが開けられたと考えられる。即ち、ユーザが近傍にいると考えられる。このため、サブＣＰＵ２１は、電源がオン状態か否かを判別する（図６、ステップＳ１９）。ここで「電源がオン状態」とは、電源２５からメインＣＰＵ１１、表示装置１４等に電力が供給されている状態を言い、「電源がオフ状態」とは、電源２５からメインＣＰＵ１１、表示装置１４等への電力の供給が遮断されている状態を言う。
【００５０】
電源がオフ状態であれば（ステップＳ１９；Ｎｏ）、制御部１０２は、電源制御部１１５により、電源２５にオンを指示する（ステップＳ２１）。指示に従って、電源２５は、メインＣＰＵ１１，表示装置１４等への電力の供給を開始する。これにより、メインＣＰＵ１１，表示装置１４等は動作を開始し、表示装置１４に画像を表示する。
【００５１】
一方、ステップＳ１８において、ΔＬ＜ΔＬth1と判別された場合（ステップＳ１８；Ｎｏ）、即ち、暗から明への変化が小さいと判別した場合、制御部１０２は、直近の一定時間内の照度Ｌの変化量ΔＬが、負の基準値−ΔＬth2以下か否か、即ち、直近の一定時間における明るさの減少量ΔＬが閾値ΔＬth2以上か否か（一定時間内に急激に暗くなったか否かを判別する（図６；ステップＳ２２）。
【００５２】
ΔＬ≦−ΔＬth2が成立する場合、即ち、明るさの減少量ΔＬが閾値ΔＬth2以上の場合（ステップＳ２２；Ｙｅｓ）、制御部１０２は、特定検出モード中であることを示す特定検出モードフラグをセットすると共に内部メモリに格納されている検知回数ＳＣを０にクリアする（ステップＳ２３）。
【００５３】
特定検出モードは、急激に暗くなった直後に、人検出部１１１による人の検出感度を低くして、比較的短い設定時間Ｔ１の間人の存在を検出し、存在率が所定の割合以上となったときに、人検出部１１１による人の検出感度を高く設定し直して、設定時間Ｔを最長値Ｔ３に設定し、通常の人検出動作に移行する動作モードである。
検知回数ＳＣは、この特定検出モードにおいて、人検出部１１１が人を検出した回数である。
【００５４】
さらに、制御部１０２は、感度設定部１１４により、人感センサ２４の感度を低感度に設定し（閾値を最大に設定）（ステップＳ２４）、検出時間設定部１１３により、設定時間Ｔを、最短時間Ｔ１に設定する（ステップＳ２５）。
その後、制御は、人感センサ２４による電源制御処理に進む。
【００５５】
一方、ステップＳ１９で、電源オン状態であると判別した場合（ステップＳ１９；Ｙｅｓ）又はΔＬ＞−ΔＬth2と判別した場合（ステップＳ２２；Ｎｏ）、照度Ｌが第２の閾値Ｌth2より大きいか否かを判別する（ステップＳ２６）。
【００５６】
照度Lが第２の閾値Ｌth2以下であると判別した場合（ステップＳ２６；No)、現在、特定検出モードであるか否かを特定検出モードフラグに基づいて判別する（ステップS２７）。
【００５７】
特定検出モード中の場合には（ステップＳ２７；Ｙｅｓ)、前述の人感センサによる電源制御処理に進み、特定検出モード中でない場合には（ステップＳ２７；Ｎｏ)、前述のステップＳ２４、Ｓ２５に進み、感度設定部１１４により人感センサ２４の感度を最小に設定し（閾値を高く設定し）（ステップＳ２４）、検出時間設定部１１３により、設定時間Ｔを最短時間Ｔ１に設定する（ステップＳ２５）。
【００５８】
また、ステップＳ２６で、照度Ｌが第２の閾値Ｌth2より大きいと判別した場合（ステップＳ２６；Ｙｅｓ）、照度Ｌが第３の閾値Ｌth3以下であるか否か判別する（ステップＳ２８）。
【００５９】
照度Ｌが第３の閾値Ｌth3以下であると判別した場合（ステップＳ２８；Ｙｅｓ）、即ち、やや明るいと判別した場合、感度設定部１１４により人検出部１１１（人感センサ２４）の感度を中間レベルに設定（閾値を中間レベルに設定）し（ステップＳ２９）、検出時間設定部１１３により、設定時間Ｔを、中間の時間Ｔ２に設定する（ステップＳ３０）。その後、制御は、人感センサによる電源制御処理に進む。
【００６０】
ステップＳ２８で照度Ｌが第３の閾値Ｌth3より大きい、即ち、明るいと判別した場合（ステップＳ２８；Ｎｏ）、感度設定部１１４により人検出部１１１（人感センサ２４）の感度を高く設定（閾値を低く設定）し（ステップＳ３１）、検出時間設定部１１３により、設定時間Ｔを、最長の時間Ｔ３に設定する（ステップＳ３２）。その後、制御は、人感センサによる電源制御処理に進む。
【００６１】
次に、人感センサによる電源制御処理について図７，図８を参照して説明する。
まず、制御部１０２は、人感センサ２４（人検出部１１１）が動作中か否かを判別する（ステップＳ４１）。動作中でなければ（ステップＳ４１；Ｎｏ）、内部タイマをクリアし、タイマに計時を開始させる（ステップＳ４２）。このタイマは、人検出部１１１（人感センサ２４）が人を検知できない継続期間をカウントするものである。続いて、人感センサ２４を動作させる（ステップＳ４３）。これにより、人検出部１１１も動作を開始する。
【００６２】
ステップＳ４１で、人感センサ２４が動作中と判別した場合（ステップＳ４１；Ｙｅｓ）又は、ステップＳ４３で人感センサ２４を起動した後、制御部１０２は、人検出部１１１（人感センサ２４）が人を検知（検出）しているか否かを判別する（ステップＳ４４）。このときの人の判別は、ステップＳ２４，Ｓ２９，Ｓ３１で感度設定部１１４により設定された感度で行う。
【００６３】
人検出部１１１が、人を検知できなかった場合（ステップＳ４４；Ｎｏ）、タイマが、ステップＳ２５，Ｓ３０，Ｓ３２で設定された設定時間Ｔ以上の時間を計測したか否かを判別する（ステップＳ４５）。即ち、人検出制御部１１２が人を検知できない状態が設定時間Ｔだけ継続したか否かを判別する。
【００６４】
設定時間Ｔを計測していれば（ステップＳ４５；Ｙｅｓ）、制御部１０２は、タイマを停止し（ステップＳ４６）、検知回数ＳＣをクリアし（ステップＳ４７）、電源制御部１１５により、電源２５にオフを指示する（ステップＳ４８）。この指示に応答して、電源２５は、メインＣＰＵ１１，表示装置１４等への電力の供給を停止する。
【００６５】
一方、ステップＳ４５で、タイマが設定時間Ｔを未だ計測していないと判別した場合（ステップＳ４５；Ｎｏ）、制御は、照度による電源制御処理に移行する。
【００６６】
ステップＳ４４で、人検出部１１１が人を検知したと判別した場合（ステップＳ４４；Ｙｅｓ）、制御部１０２は、人検出制御部１１２により、タイマをクリアする（ステップＳ４９）。タイマは、改めて設定時間Ｔの計測を開始する。即ち、人検出制御部１１２は、設定時間Ｔ内に、人検出部１１１が人が存在すると判断すると、人検出部１１１に設定時間Ｔのはじめから人を検出する処理を再度実行させる。続いて、電源がオフ状態か否かを判別する（ステップＳ５０）。
【００６７】
電源がオフ状態であると判別されると（ステップＳ５０；Ｙｅｓ）、タイマのカウント動作を停止する（ステップＳ５１）。続いて、照度Ｌが第４の閾値Ｌth4以下であるか否か判別する（ステップＳ５２）。
【００６８】
Ｌ≦Ｌth4であると判別した場合、即ち、照度Ｌが第４の閾値Ｌth4以下であると判別した場合（ステップＳ５２；Ｙｅｓ）、即ち、暗いと判別した場合、制御は、照度による電源制御処理に進む。
【００６９】
一方、Ｌ＞Ｌth4であると判別した場合、即ち、照度Ｌが第４の閾値Ｌth4より大きいと判別した場合（ステップＳ５２；Ｎｏ）、即ち、ある程度明るいと判別した場合、電源２５にオンを指示する（ステップＳ５３）。
【００７０】
一方、ステップＳ５０で、電源がオンであると判別した場合（ステップＳ５０；Ｎｏ）、特定検出モード中であるか否かを、特定検出モードフラグの有無から判別する（ステップＳ５４）。特定検出モード中でないと判別された場合（ステップＳ５４；Ｎｏ）、照度による電源制御処理に移行する。
【００７１】
ステップＳ５４で、特定検出モード中であると判別された場合（ステップＳ５４；Ｙｅｓ）、検知回数ＳＣを＋１（増加）する（ステップＳ５５）。続いて、検知回数ＳＣ、即ち、人を検知した回数ＳＣが一定数（閾値）ＳＣthに達しているか否かを判別する（ステップＳ５６）。なお、この一定値ＳＣthは、最短時間Ｔ１の間に、例えば、６０〜８０％の割合で人を検出したときに到達できる値に設定されている。検知回数ＳＣが一定数ＳＣthに達していれば（ステップＳ５６；Ｙｅｓ）、ユーザが照度Ｌを急激に低下させる行為を行った後も、デジタルフォトフレーム１００の近傍にある程度とどまっていたことを意味する。この場合、サブＣＰＵ２１は、特定検出モードフラグをオフして、特定検出モードをリセットし、人感センサ２４の感度を最大に設定し（ステップＳ５７）、設定時間Ｔを最長の時間Ｔ３に設定し（ステップＳ５８）、その後、照度による電源制御処理に進む。
【００７２】
また、ステップＳ５６で、検知回数ＳＣが一定数ＳＣthに達していないと判別すると（ステップＳ５６；Ｎｏ）、ステップＳ５７，Ｓ５８をスキップして、照度による電源制御処理に進む。
【００７３】
上述のフローチャートに示した動作を具体例に基づいて説明する。
このデジタルフォトフレーム１００の周囲の照度が十分に低い（真っ暗）場合には、ユーザは外出しているか就寝している可能性が高い。そこで、ステップＳ１１で検出された照度Ｌが非常に小さい（暗い）場合、ステップＳ１５でＬ≦第１の閾値Ｌth1と判別され、電源がオフされる（ステップＳ１７）。
【００７４】
照度が十分に小さくない（暗くない）場合には、照度を参考に、人感センサ２４の感度と、人を最後に検出してから電源を切るまでの時間に相当する設定時間Ｔとを設定する。図３に示す様に、照度センサ２４の出力値がやや暗いことを示している場合（Ｌth1＜Ｌ≦Ｌth2）にはＴ１（例えば約５分間）、中間程度の照度の場合（Ｌth2＜Ｌ≦Ｌth3）にはＴ２（例えば約２０分間）、明るい場合（Ｌth3＜Ｌ）にはＴ３（例えば３０分間）の設定時間Ｔだけ、人が検出されない場合に電源がオフされるように設定される（ステップＳ２５，Ｓ３０，Ｓ３２，Ｓ５８）。そして、タイマの計時動作を開始し、人感センサ２４により、人が検出された場合（ステップＳ４４；Ｙｅｓ）にはタイマをクリアし（ステップＳ４９）、最初から計時を開始する。そして、この設定時間Ｔの間に人が検出されなかった場合に、電源２５をオフしている。これにより、室内が暗い場合には人が退出した可能性が高いので短時間で端末の電源をオフして省電力制御を優先し、逆に室内が明るい場合には人が室内に居る可能性が高いため、人を誤って検出できなかったことによる電源オフを防ぐことの両立を図っている。
【００７５】
一方、設定時間Ｔ内に、人感センサ２４による人の検出があった場合、即ち、設定時間Ｔ中に人を検出した場合（ステップＳ４４；Ｙｅｓ）には、電源２５のオンを維持し（別段、電源２５をオフする動作を行わない）、表示状態を維持する。
【００７６】
昼間の室内は電灯を消した時でも十分に明るいが、電灯を消すという動作で照度は急激に低下し、かつ、その動作後、人は部屋から退出する可能性が高い。従って、照度の急激な低下を検出した場合（ステップＳ２２；Ｙｅｓ）には、特定検出モードを設定し（ステップＳ２３）、人感センサ２４の感度を低く設定し（ステップＳ２４）、設定時間Ｔを最小値Ｔ１に設定し（ステップＳ２５）、短時間で電源が落ちる様に制御し、省電力化を図っている。
【００７７】
ただし、昼間は、電灯を消した後でも明るいため、室内に人が残っている可能性がある。そこで、設定時間Ｔ１の間に所定の回数（割合）人を検知した場合（ステップＳ５６；Ｙｅｓ）には、人感センサ２４の感度と設定時間Ｔとを明るい時と同じ高感度とＴ３に設定することで（ステップＳ５７，Ｓ５８）、人をうまく検出出来なかった事による誤った電源オフを防いでいる。
【００７８】
また、電源オフ時に、室内が急激に明るくなった場合（ステップＳ１８；Ｙｅｓ、ステップＳ１９；Ｎｏ）には、ユーザが電灯を点灯し、もしくは、ブラインド、カーテンが開いたと考えられる。このため、人感センサ２４の検出の有無に変わらず電源をオンし（ステップＳ２１）、ユーザが気づく前に電源２５をオンする。
【００７９】
一方、ゆっくりと室内が明るくなる状況（ステップＳ１８；Ｎｏ且つステップＳ２２；Ｎｏ）は、太陽光が室内に入った為に明るくなった可能性が高く、人が入室した為とは考えにくい。この場合には電源２５をオンしない。これにより早朝、人が寝ているときに勝手に起動するような状態を避けることが出来る。ただし、ある程度明るくなっていれば（ステップＳ２６；Ｙｅｓ）、真っ暗な夜間よりも人が入室してくる可能性が高いので、明るさに応じて（ステップＳ２６，Ｓ２８）、人感センサ２４の感度を相対的に高くする（ステップＳ２９，Ｓ３１）ことで検出しやすい状況を作り、すばやい電源２５のオンを実現することが出来る。
【００８０】
以上説明したように、本実施の形態によれば、デジタルフォトフレーム１００において、照度センサ２３と人感センサ２４を利用した電源制御を下記の様に行うことで、ユーザに意識させることなく、誤動作の少ない省電力制御を図ることが出来る等、以下に例示する人の行動により適合した効果を得ることができる。
【００８１】
（１）．  一定時間における明るさの減少量ΔＬが所定の閾値ΔＬth2より大きく、急速に暗くなった場合（ステップＳ２６；Ｙｅｓ）、人感センサ２４が人を未検出の状態が継続したときの電源オフまでの設定時間Ｔを相対的に短い第１の時間Ｔ１に設定する（ステップＳ２５）。例えば、電灯を消す、カーテンを閉めるという動作により、明るさが急激に減少する（明るさの減少量ΔＬが所定の閾値ΔＬth2より大きい）ことがある。この動作の後は、人が部屋から退出する可能性が高い。このため、設定時間Ｔを相対的に短いＴ１に設定し、人が不在の場合に、短時間で電源が遮断される（ステップＳ４８）様に電源２５を制御することにより、省電力化が図れる。
【００８２】
ただし、短い設定時間Ｔ１の間、人感センサ２４による人の検出動作を継続する（ステップＳ４４）ので、例えば、ユーザが昼間に室内の電灯を消灯させてからも依然として室内に留まっている場合等に、電源２５を遮断することなく、室内に留まり続けるユーザのために電源を供給し続けることが可能となる。これに対し、特許文献１に記載の電源制御手法では、明るさが急激に暗くなったことを検出した場合には、即座に、電源をオフする。このため、例えば、ユーザが昼間に室内の電灯を消灯させてからも依然として室内に留まっている場合等に、対応することができない。従って、本実施形態に係る電源制御装置及び電源制御方法は、より人為的な行動を考慮した電源の制御を行うことができる。
【００８３】
（２）．  一定時間における明るさの減少量ΔＬが所定の閾値ΔＬth2より小さい場合（ステップＳ１８；Ｙｅｓ又はＳ２２；Ｎｏ）、設定時間Ｔを、明るさに従って（ステップＳ２６，Ｓ２８）、第１の時間Ｔ１以上の第２の時間（Ｔ１，Ｔ２，Ｔ３）に設定している（ステップＳ２５，Ｓ３０，Ｓ３２）。例えば、明るい部屋では人がいる可能性が高く、暗い場合には人が居ない可能性が高い。従って、このように制御することにより、明るい部屋では、人の未検出状態での電源オン時間を長くすることにより不用意に電源が落ちないようにし、暗い場合には、人の未検出状態での電源オン時間を短くして短時間で電源を遮断する（ステップＳ４８）ことにより、ユーザの不便無く省電力化を図ることが出来る。
【００８４】
（３）．  （１）の場合、即ち、急速に暗くなったと判別され（ステップＳ２６；Ｙｅｓ）、人感センサ２４による人の検出動作（ステップＳ４４）を実行中に、人感センサ２４が一定回数人間を検出した（或いは一定の割合で検出した）場合（ステップＳ５６；Ｙｅｓ）に、電源オフまでの設定時間Ｔを明るい時と同じＴ３に戻す（ステップＳ５８）ことで、人がいないと誤検出して電源を遮断する（ステップＳ４８）という誤動作を減らすことが出来る。
【００８５】
（４）．  また、一定時間における明るさの減少量ΔＬが所定の閾値Ｌth2より大きい場合（ステップＳ２２；Ｙｅｓ）に、人感センサ２４の検出感度を相対的に低い第１の感度に設定し（ステップＳ２４）、一定時間における明るさの減少量ΔＬが所定の閾値Ｌth2より小さい場合には、第１の感度以上の第２の感度に、人感センサ２４の検出感度を設定している（ステップＳ２４，Ｓ２９，Ｓ３１）。例えば、電灯を消す、カーテンを閉めるという動作により、明るさが急激に減少する（明るさの減少量ΔＬが所定の閾値ΔＬth2より大きい）、ことがある。この動作後は、人が部屋から退出する可能性が高い。このため、人感センサ２４の感度を相対的に低くし、人が不在であるにもかかわらず、在室すると判別する誤動作を抑えつつ、一方で、人の存在を設定時間Ｔの間検出して、検出できない場合に、電源を遮断する（ステップＳ４８）ことで、省電力化が図れる。一方、明るさの減少量ΔＬが所定の閾値ΔＬth2より小さい場合（ステップＳ１８；Ｙｅｓ又はＳ２２；Ｎｏ）には、環境の変化による明るさの変化程度であることがあり、室内に人が残っている可能性がある。そこで、検出感度を第１の感度以上の第２の感度に設定して（ステップＳ２４、Ｓ２９、Ｓ３１）、人の検出漏れを防ぎ、人を検出した場合には、電源の供給を維持できる。
【００８６】
（５）．一定以上の暗さになった場合（ステップＳ１５；Ｙｅｓ）、人感センサ２４の検出に関係なく、すぐに電源をオフする（ステップＳ１７）。夜間等、真っ暗な部屋の中では人がいる可能性が低いうえ、就寝している可能性も高い。このような場合に、人感センサ２４の人検出の有無にかかわらず電源を直ぐに遮断することで省電力化が図ること出来る。
【００８７】
（６）．また、明るさが大きくなるにしたがって（ステップＳ２６，Ｓ２８）、人感センサ２４の感度を上げる（ステップＳ２９，Ｓ３１）。例えば、早朝、室内に太陽光がゆっくり差し込んでくる状況になった場合、ユーザが起きて入室する可能性が高い。このように、明るさに応じて人の存在する可能性が高くなる場合がある。そこで、明るさが大きくなるに従って、人感センサ２４の感度を上げることにより、人の検出を容易とし、電源オン状態であれば（ステップＳ５０；Ｎｏ）、人の検出漏れによる電源の遮断（ステップＳ４８）を防ぎ、電源がオフ状態であれば（ステップＳ５０；Ｙｅｓ）、人の入室があると、即座に電力を供給する（ステップＳ５３）ことが可能となる。
【００８８】
（７）．また、電源オフ時に、急速に明るくなった場合（ステップＳ１８；Ｙｅｓ且つステップＳ１９；Ｎｏ）、すぐに電源をオンする（ステップＳ２１）。電灯が点灯したり、カーテンが開く等して、急速明るくなった場合には室内に人が入ってきた可能性が高い。従って、この処理により、人感センサ２４が人を検出する前に電源を立ち上げ、ユーザが即座に鑑賞できる状態にすることが出来る。
【００８９】
これに対し、ゆっくりと明るく変化した場合（ステップＳ１８；Ｎｏ）には、電源はオンしない。早朝、室内に太陽光が差し込む事で室内が明るく成る場合にはゆっくりと環境光が明るくなり、この状態ではユーザがまだ寝ている可能性が高い。このような場面では、電源をオンにしないことで無駄な電力を省くことが出来る。
【００９０】
なお、この発明は、上記実施の形態に限定されず種々の変形及び応用が可能である。
例えば、上記実施の形態では、電源オン状態で、人がいないと判別した際に、メインＣＰＵ１１，表示装置１４の電源をオフにしていたが、表示装置１４をオフしたり、表示装置１４のバックライトのみをオフしたりするだけでも省電力化でき、人を検出した後の画像の再表示開始時間の短縮も可能である。
【００９１】
上述の機能は、デジタルフォトフレーム１００という室内に設置され、基本的には動かさないということを前提とする装置に有効な省電力制御を行っている。このため、図９に示すように、振動センサ（加速度センサ）２９をサブＣＰＵ２１に接続し、振動センサ２９が振動を検出した場合に、サブＣＰＵ２１が、一定期間、電源オン時処理及び電源オフ時処理の実行を停止することで、誤った電源オフ動作及び電源オン動作を減らすことも可能である。
【００９２】
上述の構成、フローチャート、設定時間等のパラメータなどは、一例であり、同様の機能を実現できるなら、他の構成を使用することも可能である。例えば、上記実施の形態では、一定時間における明るさの減少量ΔＬが閾値ΔＬth2より大きい場合に、ステップＳ２５で設定時間をＴ１に設定したが、Ｔ１より短い時間に設定してもよい。同様に、人感センサ２４の感度をさらに下げても良い。また、ステップＳ４４で人を検出した場合に、ステップＳ４９でタイマをクリアしたが、特定検出モードであるか否かを判別し、特定検出モードであれば、ステップＳ４９をスキップしてもよい。また、ステップＳ５６で、人を一定回数検出した場合（ステップＳ５６；Ｙｅｓ）に、通常の人検出動作に移行したが、例えば、所定時間人を連続して検出した場合、所定時間内で一定の割合以上人を検出した場合等に、通常の人検出動作に移行するように構成してもよい。ポイントは、急激に暗くなった後も、一定期間、室内等に留まっている人を検出することである。また、ステップＳ５６で、人を一定回数検出した場合（ステップＳ５６；Ｙｅｓ）に、人感センサ２４の感度を最大、設定時間Ｔを最長値Ｔ３に設定したが、他の値に設定してもよい。また、ステップＳ５６からステップＳ１１にジャンプする等してもよい。
【００９３】
デジタルフォトフレーム及びその表示部の電源制御を例にこの発明を説明したが、この発明はこれに限定されず、デジタル時計、コンピュータ、携帯端末等の任意の電子機器の、表示装置、記憶装置、通信装置等の任意の動作部分の電源制御に適用可能である。
また、コンピュータに上述の制御処理を実行させるプログラムを、記録媒体などからインストールすることも可能である。
【符号の説明】
【００９４】
１００・・・デジタルフォトフレーム、１１・・・メインＣＰＵ、１２・・・ＲＯＭ、１３・・・ＲＡＭ、１４・・・表示装置、１５・・・フラッシュメモリＩ／Ｆ、１６・・・無線ＬＡＮ装置、２１・・・サブＣＰＵ、２２・・・メイン電源スイッチ、２３・・・照度センサ、２４・・・人感センサ、２５・・・電源、２９・・・振動センサ、１０１・・・明るさ検出部、１０２・・・制御部、１１１・・・人検出部、１１２・・・人検出制御部、１１３・・・検出時間設定部、１１４・・・感度設定部、１１５・・・電源制御部
【図１】
0005392122.tif 000002
【図２】
0005392122.tif 000003
【図３】
0005392122.tif 000004
【図４】
0005392122.tif 000005
【図５】
0005392122.tif 000006
【図６】
0005392122.tif 000007
【図７】
0005392122.tif 000008
【図８】
0005392122.tif 000009
【図９】
0005392122.tif 000010